(57)【要約】      （修正有）【課題】  ズボンやスカートの腰部を締める時に、ベルトをバックル本体の任意の位置に固定出来、バックル本体にベルトを通過させやすくかつ外しやすくしたベルト用バックルを提供する。【解決手段】  ベルト用バックル１はベルト３に接続されるベルト接続部４と、ベルト接続部４から延長したベルト案内部６と、バックル本体１０ａ用の回動支持部７と、突出部１１に接着されベルト５の任意の部分を固定するベルト押圧部１２と、バックル本体１０ａをベルト接続部４の方向に回動させるバネ１５を備え、ズボンやスカートの腰部を締める時は、バックル本体１０ａを回動支持部７で回動し、ベルト５の先端をバックル本体１０ａに通過させて、任意の位置でバックル本体１０ａを放す。バックル本体１０ａからベルト５を外す時は、バックル本体１０ａを回動して、ベルト５をバックル本体１０ａから外す。【選択図】図１
2007144089.tif 000002
【特許請求の範囲】
【請求項１】
ベルトの一方に接続されたベルト接続部と、ベルト接続部から延長したベルト案内部に設けられた回動支持部と、回動支持部に回動自在に支持されたバックル本体と、回動支持部の近傍のバックル本体に設けられベルトの他方がベルト接続部から外れる方向に移動しようとする時にベルトの他方を押圧するベルト押圧部を備えたことを特徴とするベルト用バックル。
【請求項２】
ベルトの一方に接続されたベルト接続部と、ベルト接続部から延長したベルト案内部に固定されたバックル本体と、ベルト接続部またはベルト接続部側のバックル本体に設けられた回動支持部と、回動支持部に回動自在に支持されたベルト固定部と、回動支持部の近傍のベルト固定部に設けられベルトの他方がベルト接続部から外れる方向に移動しようとする時にベルトの他方を押圧するベルト押圧部を備えたことを特徴とするベルト用バックル。
【請求項３】
ベルトの一方に接続されたベルト接続部と、ベルト接続部から延長したベルト案内部に固定されたバックル本体と、バックル本体またはバックル本体側のベルト接続部に設けられた回動支持部と、回動支持部に回動自在に支持されたベルト固定部と、回動支持部の近傍のベルト固定部に設けられベルトの他方がベルト接続部から外れる方向に移動しようとする時にベルトの他方を押圧するベルト押圧部を備えたことを特徴とするベルト用バックル。
【請求項４】
回動支持部の近傍に、ベルト押圧部をベルト接続部の方向に回動させるバネを備えたことを特徴とする請求項１と請求項３に記載のベルト用バックル。
【請求項５】
回動支持部の近傍に、ベルト押圧部をバックル本体の方向に回動させるバネを備えたことを特徴とする請求項２に記載のベルト用バックル。
【請求項６】
ベルト案内部に、ベルトの他方が固定されている時のバックル本体を囲む接触防止部を備えたことを特徴とする請求項１に記載のベルト用バックル。
【発明の詳細な説明】
【発明の詳細な説明】
【技術分野】
【０００１】  本発明は、ズボンやスカートの腰部を締めるためのベルトを任意の部分で固定するベルト用バックル関する。
【背景技術】
【０００２】  ベルトの一方に接続されるベルト接続部と、ベルト接続部に設けられたバックル本体と、バックル本体に回動自在に支持されベルトの他方を通過させかつ制動する制動体を備えたベルト用バックル（特開２０００−１３６４１６）や、ベルトの一方に接続されるベルト接続部と、ベルト接続部に回動自在に支持されたバックル本体と、バックル本体に設けられベルトの他方を通過させかつ係止する係止部を備えたベルト用バックル（特開平１０−１７４６０６）がある。
【発明が解決しようとする課題】
【０００３】  従来のベルト用バックル（特開２０００−１３６４１６）は、ズボンやスカートの腰部を締める時にバックル本体にベルトの他方を通過させにくく、バックル本体からベルトの他方を外す時にも外しにくい問題点があり、従来のベルト用バックル（特開平１０−１７４６０６）は係止部の構造が複雑で製作がしにくい問題点がある。
【０００４】  本発明は、ズボンやスカートの腰部を任意の強さで締められる様に、ベルトの他方をバックル本体の任意の位置に固定出来るにも関らず、構造が簡単で、ズボンやスカートの腰部を締める時にベルトの他方をバックル本体に通過させやすく、ベルトの他方をバックル本体から外す時にも外しやすくしたベルト用バックルを提供することを目的とする。
【課題を解決するための手段】
【０００５】  本発明のベルト用バックルは、ベルトの一方に接続されたベルト接続部と、ベルト接続部から延長したベルト案内部に設けられた回動支持部と、回動支持部に回動自在に支持されたバックル本体と、回動支持部の近傍のバックル本体に設けられベルトの他方がベルト接続部から外れる方向に移動しようとする時にベルトの他方を押圧するベルト押圧部を備えたことを特徴とするものである。
【０００６】  本発明によれば、ズボンやスカートの腰部を締める時は、バックル本体を回動支持部でベルト押圧部がベルト接続部から離れる方向に回動し、ベルトの他方の先端をベルト接続部とバックル本体の間を通過させて、ズボンやスカートの腰部が好みの締め強さになった時に、バックル本体をベルト接続部へ近づく方向にベルト押圧部がベルトの他方を押圧するまで回動する。ベルトの他方はベルト接続部から外れる方向に移動しようとするが、ベルト押圧部がベルトの他方を押圧するため、ベルト押圧部はベルトの他方とベルト押圧部の間の摩擦力により同方向に移動しようとして、バックル本体をベルト接続部へさらに近づく方向に回動しようとする。その結果、ベルト押圧部はベルトの他方を強く押圧するため、ベルトの他方をバックル本体に固定することが出来る。バックル本体からベルトの他方を外す時は、バックル本体を回動支持部でベルト接続部から離れる方向に回動すれば、ベルト押圧部とベルトの他方は離間するため、ベルトの他方をバックル本体から外すことが出来る。
【０００７】  また、本発明のベルト用バックルは、ベルトの一方に接続されたベルト接続部と、ベルト接続部から延長したベルト案内部に固定されたバックル本体と、ベルト接続部またはベルト接続部側のバックル本体に設けられた回動支持部と、回動支持部に回動自在に支持されたベルト固定部と、回動支持部の近傍のベルト固定部に設けられベルトの他方がベルト接続部から外れる方向に移動しようとする時にベルトの他方を押圧するベルト押圧部を備えたことを特徴とするものである。
【０００８】  本発明によれば、ズボンやスカートの腰部を締める時は、ベルト固定部を回動支持部でベルト押圧部がバックル本体から離れる方向に回動し、ベルトの他方の先端をバックル本体とベルト固定部の間を通過させて、ズボンやスカートの腰部が好みの締め強さになった時に、ベルト固定部をバックル本体へ近づく方向にベルト押圧部がベルトの他方を押圧するまで回動する。ベルトの他方はベルト接続部から外れる方向に移動しようとするが、ベルト押圧部がベルトの他方を押圧するため、ベルト押圧部はベルトの他方とベルト押圧部の間の摩擦力により同方向に移動しようとして、ベルト固定部をバックル本体へさらに近づく方向に回動しようとする。その結果、ベルト押圧部はベルトの他方を強く押圧するため、ベルトの他方をベルト固定部に固定することが出来る。バックル本体からベルトの他方を外す時は、ベルト固定部を回動支持部でバックル本体から離れる方向に回動すれば、ベルト押圧部とベルトの他方は離間するため、ベルトの他方をバックル本体から外すことが出来る。
【０００９】  また、本発明のベルト用バックルは、ベルトの一方に接続されたベルト接続部と、ベルト接続部から延長したベルト案内部に固定されたバックル本体と、バックル本体またはバックル本体側のベルト接続部に設けられた回動支持部と、回動支持部に回動自在に支持されたベルト固定部と、回動支持部の近傍のベルト固定部に設けられベルトの他方がベルト接続部から外れる方向に移動しようとする時にベルトの他方を押圧するベルト押圧部を備えたことを特徴とするものである。
【００１０】  本発明によれば、ズボンやスカートの腰部を締める時は、ベルト固定部を回動支持部でベルト押圧部がベルト接続部から離れる方向に回動し、ベルトの他方の先端をベルト接続部とベルト固定部の間を通過させて、ズボンやスカートの腰部が好みの締め強さになった時に、ベルト固定部をベルト接続部へ近づく方向にベルト押圧部がベルトの他方を押圧するまで回動する。ベルトの他方はベルト接続部から外れる方向に移動しようとするが、ベルト押圧部がベルトの他方を押圧するため、ベルト押圧部はベルトの他方とベルト押圧部の間の摩擦力により同方向に移動しようとして、ベルト固定部をベルト接続部へさらに近づく方向に回動しようとする。その結果、ベルト押圧部はベルトの他方を強く押圧するため、ベルトの他方をベルト固定部に固定することが出来る。バックル本体からベルトの他方を外す時は、ベルト固定部を回動支持部でベルト接続部から離れる方向に回動すれば、ベルト押圧部とベルトの他方は離間するため、ベルトの他方をバックル本体から外すことが出来る。
【００１１】  また、本発明のベルト用バックルは、ベルトの一方に接続されたベルト接続部と、ベルト接続部から延長したベルト案内部に設けられた回動支持部と、回動支持部に回動自在に支持されたバックル本体と、回動支持部の近傍のバックル本体に設けられベルトの他方がベルト接続部から外れる方向に移動しようとする時にベルトの他方を押圧するベルト押圧部と、回動支持部の近傍にベルト押圧部をベルト接続部の方向に回動させるバネを備えたことを特徴とするものである。
【００１２】  本発明によれば、ズボンやスカートの腰部を締める時は、バネの力に抗してバックル本体を回動支持部でベルト押圧部がベルト接続部から離れる方向に回動し、ベルトの他方の先端をベルト接続部とバックル本体の間を通過させて、ズボンやスカートの腰部が好みの締め強さになった時にバックル本体を放す。バネはバックル本体をベルト接続部へ近づく方向に、ベルト押圧部がベルトの他方を押圧するまで回動する。ベルトの他方はベルト接続部から外れる方向に移動しようとするが、バネの力は弱いものの、バネがベルト押圧部をベルトの他方に押圧するため、ベルト押圧部はベルトの他方とベルト押圧部の間の摩擦力により同方向に移動しようとして、バックル本体をベルト接続部へさらに近づく方向に回動しようとする。その結果、ベルト押圧部はベルトの他方を強く押圧するため、ベルトの他方をバックル本体に固定することが出来る。バックル本体からベルトの他方を外す時は、バネの力に抗してバックル本体を回動支持部でベルト接続部から離れる方向に回動すれば、ベルト押圧部とベルトの他方は離間するため、ベルトの他方をバックル本体から外すことが出来る。
【００１３】  また、本発明のベルト用バックルは、ベルトの一方に接続されたベルト接続部と、ベルト接続部から延長したベルト案内部に固定されたバックル本体と、ベルト接続部またはベルト接続部側のバックル本体に設けられた回動支持部と、回動支持部に回動自在に支持されたベルト固定部と、回動支持部の近傍のベルト固定部に設けられベルトの他方がベルト接続部から外れる方向に移動しようとする時にベルトの他方を押圧するベルト押圧部と、回動支持部の近傍にベルト押圧部をバックル本体の方向に回動させるバネを備えたことを特徴とするものである。
【００１４】  本発明によれば、ズボンやスカートの腰部を締める時は、バネの力に抗してベルト固定部を回動支持部でベルト押圧部がバックル本体から離れる方向に回動し、ベルトの他方の先端をバックル本体とベルト固定部の間を通過させて、ズボンやスカートの腰部が好みの締め強さになった時にベルト固定部を放す。バネはベルト固定部をバックル本体へ近づく方向に、ベルト押圧部がベルトの他方を押圧するまで回動する。ベルトの他方はベルト接続部から外れる方向に移動しようとするが、バネの力は弱いものの、バネがベルト押圧部をベルトの他方に押圧するため、ベルト押圧部はベルトの他方とベルト押圧部の間の摩擦力により同方向に移動しようとして、ベルト固定部をバックル本体へさらに近づく方向に回動しようとする。その結果、ベルト押圧部はベルトの他方を強く押圧するため、ベルトの他方をベルト固定部に固定することが出来る。バックル本体からベルトの他方を外す時は、バネの力に抗してベルト固定部を回動支持部でバックル本体から離れる方向に回動すれば、ベルト押圧部とベルトの他方は離間するため、ベルトの他方をバックル本体から外すことが出来る。
【００１５】  また、本発明のベルト用バックルは、ベルトの一方に接続されたベルト接続部と、ベルト接続部から延長したベルト案内部に固定されたバックル本体と、バックル本体またはバックル本体側のベルト接続部に設けられた回動支持部と、回動支持部に回動自在に支持されたベルト固定部と、回動支持部の近傍のベルト固定部に設けられベルトの他方がベルト接続部から外れる方向に移動しようとする時にベルトの他方を押圧するベルト押圧部と、回動支持部の近傍にベルト押圧部をベルト接続部の方向に回動させるバネを備えたことを特徴とするものである。
【００１６】  本発明によれば、ズボンやスカートの腰部を締める時は、バネの力に抗してベルト固定部を回動支持部でベルト押圧部がベルト接続部から離れる方向に回動し、ベルトの他方の先端をベルト接続部とベルト固定部の間を通過させて、ズボンやスカートの腰部が好みの締め強さになった時にベルト固定部を放す。バネはベルト固定部をベルト接続部へ近づく方向に、ベルト押圧部がベルトの他方を押圧するまで回動する。ベルトの他方はベルト接続部から外れる方向に移動しようとするが、バネの力は弱いものの、バネがベルト押圧部をベルトの他方に押圧するため、ベルト押圧部はベルトの他方とベルト押圧部の間の摩擦力により同方向に移動しようとして、ベルト固定部をベルト接続部へさらに近づく方向に回動しようとする。その結果、ベルト押圧部はベルトの他方を強く押圧するため、ベルトの他方をベルト固定部に固定することが出来る。バックル本体からベルトの他方を外す時は、バネの力に抗してベルト固定部を回動支持部でベルト接続部から離れる方向に回動すれば、ベルト押圧部とベルトの他方は離間するため、ベルトの他方をバックル本体から外すことが出来る。
【００１７】  さらに、本発明のベルト用バックルは、ベルトの一方に接続されたベルト接続部と、ベルト接続部から延長したベルト案内部に設けられた回動支持部と、回動支持部に回動自在に支持されたバックル本体と、回動支持部の近傍のバックル本体に設けられベルトの他方がベルト接続部から外れる方向に移動しようとする時にベルトの他方を押圧するベルト押圧部と、ベルト案内部にベルトの他方が固定されている時のバックル本体を囲む接触防止部を備えたことを特徴とするものである。
【００１８】  本発明によれば、バックル本体がベルトの他方の任意の部分を固定する位置にある時、接触防止部がバックル本体に触れにくくするため、バックル本体に固定されたベルトの他方が不用意にバックル本体から外れない様にすることが出来る。
【発明を実施するための最良の形態】
【００１９】  図１は本発明の第一実施形態に係るベルト用バックルの上面図である。図２は本発明の第一実施形態に係るベルト用バックルの正面図である。【００２０】  ベルト用バックル１は皮製のベルト２の一方３に接続される板金製のベルト接続部４と、ベルト接続部４から延長しベルト２の他方５を案内通過させるベルト案内部６と、ベルト案内部６に開けられた回動支持部７としての丸穴８と丸穴８に挿入された金属製の丸棒９と、丸棒９に支持されて回動するプラスチック製のバックル本体１０ａと、回動支持部７の近傍のバックル本体１０ａの突出部１１に接着されベルト２の他方５の任意の部分を固定する摩擦係数の高いゴム製のベルト押圧部１２と、丸棒９の周りに巻かれそれぞれの端部がバックル本体１０ａの穴１３と案内通過部６の穴１４に挿入されてバックル本体１０ａをベルト接続部４の方向に回動させるバネ１５を備えている。【００２１】  つぎに、上記構成のベルト用バックルの作用について図３と図４の作用説明図で説明する。【００２２】  図示しないズボンやスカートの腰部を締める時は、バネ１５の力に抗してバックル本体１０ａを回動支持部７でベルト押圧部１２がベルト接続部４から離れる方向（矢印Ａ）に回動し、ベルト２の他方５の先端１６をバックル本体１０ａとベルト案内部６とベルト接続部４の間を通過させて、ズボンやスカートの腰部が好みの締め強さになった時にバックル本体１０ａを放す。バネ１５はバックル本体１０ａをベルト接続部４へ近づく方向（矢印Ｂ）に、ベルト押圧部１２がベルト２の他方５を押圧する（Ｃ点）まで回動する。ベルト２の他方５はベルト接続部４から外れる方向（矢印Ｄ）に移動しようとするが、バネ１５の力は弱いものの、バネ１５がベルト押圧部１２をベルト２の他方５に押圧するため、ベルト押圧部１２はベルト２の他方５とベルト押圧部１２の間（Ｃ点）の摩擦力により同方向（矢印Ｄ）に移動しようとして、バックル本体１０ａをベルト接続部４へさらに近づく方向（矢印Ｂ）に回動しようとする。その結果、ベルト押圧部１２はベルト２の他方５を強く押圧するため、ベルト２の他方５をバックル本体１０ａに固定することが出来る。バックル本体１０ａからベルト２の他方５を外す時は、バネ１５の力に抗してバックル本体１０ａを回動支持部７でベルト接続部４から離れる方向（矢印Ａ）に回動すれば、ベルト押圧部１２とベルト２の他方５は離間するため、ベルト２の他方５をバックル本体１０ａから外すことが出来る。【００２３】  長年の使用によりベルト押圧部１２が磨耗したり、ベルト２の他方５がへたった場合、バックル本体１０ａの端部１７がベルト２の他方５と接触するが、ベルト２の他方５とベルト２の一方３はバックル本体１０ａの端部１７に押圧されて、ズボンやスカートの腰部に近づく方向（矢印Ｂ）へ移動するため、ベルト押圧部１２の磨耗量または／およびベルト２の他方５のへたり量が所定値になるまで、ベルト押圧部１２はベルト２の他方５をバックル本体１０ａに固定することが出来る。【００２４】  図５は本発明の第二実施形態に係るベルト用バックルの上面図である。図６は本発明の第二実施形態に係るベルト用バックルの正面図である。図１と図２の同一部分または相当部分には同一の符号を付す。【００２５】  ベルト用バックル１は皮製のベルト２の一方３に接続される板金製のベルト接続部４と、ベルト接続部４から延長しベルト２の他方５を案内通過させるベルト案内部６と、ベルト案内部６に開けられた回動支持部７としての丸穴８と丸穴８に挿入された金属製の丸棒９と、丸棒９に支持されて回動するプラスチック製で第一実施形態に比較してベルト２の長手方向の長さが短いバックル本体１０ａと、回動支持部７の近傍のバックル本体１０ａの突出部１１に接着されベルト２の他方５の任意の部分を固定する摩擦係数の高いゴム製のベルト押圧部１２と、丸棒９の周りに巻かれそれぞれの端部がバックル本体１０ａの穴１３と案内通過部６の穴１４に挿入されてバックル本体１０ａをベルト接続部４の方向に回動させるバネ１５を備えている。【００２６】  つぎに、上記構成のベルト用バックルの作用について図５の上面図で説明する。【００２７】  長年の使用によりベルト押圧部１２が磨耗したり、ベルト２の他方５がへたって、ベルト押圧部１２の磨耗量または／およびベルト２の他方５のへたり量が所定値になっても、バックル本体１０ａのベルト２の長手方向の長さが短く、バックル本体１０ａの端部１７がベルト２の他方５と接触することがないため、ベルト押圧部１２はベルト２の他方５をバックル本体１０ａに固定することが出来る。【００２８】  図７は本発明の第三実施形態に係るベルト用バックルの上面図である。図８は本発明の第三実施形態に係るベルト用バックルの正面図である。図１と図２の同一部分または相当部分には同一の符号を付す。【００２９】  ベルト用バックル１は皮製のベルト２の一方３に接続される板金製のベルト接続部４と、ベルト接続部４から延長しベルト２の他方５を案内通過させるベルト案内部６と、ベルト案内部６に開けられた回動支持部７としての丸穴８と丸穴８に挿入された金属製の丸棒９と、丸棒９に支持されて回動するプラスチック製のバックル本体１０ａと、回動支持部７の近傍のバックル本体１０ａの突出部１１に接着されベルト２の他方５の任意の部分を固定する摩擦係数の高いゴム製のベルト押圧部１２と、丸棒９の周りに巻かれそれぞれの端部がバックル本体１０ａの図示しない穴と案内通過部６の穴１４に挿入されてバックル本体１０ａをベルト接続部４の方向に回動させるバネ１５と、ベルト案内部６にベルト２の他方５が固定されている時のバックル本体１０ａの二方を囲む接触防止部１８を備えている。【００３０】  つぎに、上記構成のベルト用バックルの作用について図７の上面図で説明する。【００３１】  バックル本体１０ａがベルト２の他方５の任意の部分を固定する位置にある時、接触防止部１８がバックル本体１０ａに触れにくくするため、バックル本体１０ａに固定されたベルト２の他方５がバックル本体１０ａから外れない様にすることが出来る。【００３２】  図９は本発明の第四実施形態に係るベルト用バックルの上面図である。図１０は本発明の第四実施形態に係るベルト用バックルの正面図である。図１と図２の同一部分または相当部分には同一の符号を付す。【００３３】  ベルト用バックル１は皮製のベルト２の一方３に接続される板金製のベルト接続部４と、ベルト接続部４から延長しベルト２の他方５を案内通過させるベルト案内部６と、ベルト案内部６に固定されたプラスチック製のバックル本体１０ｂと、ベルト接続部４に開けられた回動支持部７としての丸穴８と、丸穴８に支持されて回動するベルト固定部１９としての金属製の丸棒９と丸棒９に固定されたプラスチック製の回動部２０と丸棒９に固定された板金製のレバー２１と、回動支持部７の近傍のベルト固定部１９に接着されベルト２の他方５の任意の部分を固定する摩擦係数の高いゴム製のベルト押圧部１２と、丸棒９の周りに巻かれそれぞれの端部がベルト固定部１９の穴１３とベルト接続部４の図示しない穴に挿入されてベルト押圧部１２をバックル本体１０ｂの方向に回動させるバネ１５を備えている。【００３４】  つぎに、上記構成のベルト用バックルの作用について図９の上面図で説明する。【００３５】  図示しないズボンやスカートの腰部を締める時は、レバー２１を回動支持部７でベルト押圧部１２がバックル本体１０ｂから離れる方向（矢印Ａ）に回動し、ベルト２の他方５の先端１６をバックル本体１０ｂとベルト案内部６とベルト固定部１９の間を通過させて、ズボンやスカートの腰部が好みの締め強さになった時にレバー２１を放す。バネ１５はベルト固定部１９をバックル本体１０ｂへ近づく方向（矢印Ｂ）に、ベルト押圧部１２がベルト２の他方５を押圧する（Ｃ点）まで回動する。ベルト２の他方５はベルト接続部４から外れる方向（矢印Ｄ）に移動しようとするが、ベルト押圧部１２がベルト２の他方５を押圧するため、ベルト押圧部１２はベルト２の他方５とベルト押圧部１２の間（Ｃ点）の摩擦力により同方向（矢印Ｄ）に移動しようとして、ベルト固定部１９をバックル本体１０ｂへさらに近づく方向（矢印Ｂ）に回動しようとする。その結果、ベルト押圧部１２はベルト２の他方５を強く押圧するため、ベルト２の他方５をベルト固定部１９に固定することが出来る。バックル本体１０ｂからベルト２の他方５を外す時は、レバー２１を回動支持部でバックル本体から離れる方向（矢印Ａ）に回動すれば、ベルト押圧部１２とベルト２の他方５は離間するため、ベルト２の他方５をバックル本体１０ｂから外すことが出来る。【００３６】  第四実施形態において、回動支持部７としての丸穴８はベルト接続部４に開けられているが、バックル本体１０ｂをベルト接続部４の側に延長した部分に開けることも出来る。【００３７】  図１１は本発明の第五実施形態に係るベルト用バックルの上面図である。図１２は本発明の第五実施形態に係るベルト用バックルの正面図である。図１と図２の同一部分または相当部分には同一の符号を付す。【００３８】  ベルト用バックル１は皮製のベルト２の一方３に接続される板金製のベルト接続部４と、ベルト接続部４から延長しベルト２の他方５を案内通過させるベルト案内部６と、ベルト案内部６に固定された板金製のバックル本体１０ｃと、バックル本体１０ｃに開けられた回動支持部７としての丸穴８と、丸穴８に支持されて回動するベルト固定部１９としての金属製の丸棒９と丸棒９に固定されたプラスチック製の回動部２０と丸棒９に固定された板金製のレバー２１と、回動支持部７の近傍のベルト固定部１９に接着されベルト２の他��５の任意の部分を固定する摩擦係数の高いゴム製のベルト押圧部１２と、丸棒９の周りに巻かれそれぞれの端部がベルト固定部１９の穴１３とバックル本体１０ｃの図示しない穴に挿入されてベルト押圧部１２をベルト接続部４の方向に回動させるバネ１５を備えている。【００３９】  つぎに、上記構成のベルト用バックルの作用について図１１の上面図で説明する。【００４０】  図示しないズボンやスカートの腰部を締める時は、レバー２１を回動支持部７でベルト押圧部１２がベルト接続部４から離れる方向（矢印Ａ）に回動し、ベルト２の他方５の先端１６をベルト接続部４とベルト案内部６とベルト固定部１９の間を通過させて、ズボンやスカートの腰部が好みの締め強さになった時にレバー２１を放す。バネ１５はベルト固定部１９をベルト接続部４へ近づく方向（矢印Ｂ）に、ベルト押圧部１２がベルト２の他方５を押圧する（Ｃ点）まで回動する。ベルト２の他方５はベルト接続部４から外れる方向（矢印Ｄ）に移動しようとするが、ベルト押圧部１２がベルト２の他方５を押圧するため、ベルト押圧部１２はベルト２の他方５とベルト押圧部１２の間（Ｃ点）の摩擦力により同方向（矢印Ｄ）に移動しようとして、ベルト固定部１９をベルト接続部４へさらに近づく方向（矢印Ｂ）に回動しようとする。その結果、ベルト押圧部１２はベルト２の他方５を強く押圧するため、ベルト２の他方５をベルト固定部１９に固定することが出来る。バックル本体１０ｃからベルト２の他方５を外す時は、レバー２１を回動支持部でベルト接続部４から離れる方向（矢印Ａ）に回動すれば、ベルト押圧部１２とベルト２の他方５は離間するため、ベルト２の他方５をバックル本体１０ｃから外すことが出来る。【００４１】  第五実施形態において、回動支持部７としての丸穴８はバックル本体１０ｃに開けられているが、ベルト接続部４をバックル本体１０ｃの側に延長した部分に開けることも出来る。【００４２】  第一実施形態から第五実施形態のベルト用バックルのベルト押圧部は、摩擦係数の高いゴムで構成されているが、バックル本体またはベルト固定部と一体化して、バックル本体またはベルト固定部のベルト２の他方５と接する部分に細かい凹凸を形成することも出来る。
【発明の効果】
【００４３】  本発明のベルト用バックルは請求項１から請求項３によれば、ズボンやスカートの腰部を任意の強さで締められる様に、ベルトの他方をバックル本体の任意の位置に固定出来るにも関らず、構造が簡単で、ズボンやスカートの腰部を締める時にバックル本体にベルトの他方を通過させやすく、バックル本体からベルトの他方を外す時にも外しやすくすることが出来る。また、従来のベルト用バックルとベルトの固定方法が原理的に異なるため、バックル本体のベルトの長手方向の長さを短く出来るので、まったく新しい意匠のベルト用バックルを製作することも出来る。
【００４４】  本発明のベルト用バックルは請求項４と請求項５によれば、ズボンやスカートの腰部が好みの締め強さになった時に、バックル本体またはベルト固定部をベルト押圧部がベルトの他方を押圧するまで回動する必要がなく、バックル本体またはベルト固定部を放すだけで、ベルトの他方をバックル本体の任意の位置に固定することが出来る。
【００４５】  本発明のベルト用バックルは請求項６によれば、バックル本体がベルトの他方の任意の部分を固定する位置にある時、接触防止部がバックル本体に触れにくくするため、バックル本体に固定されたベルトの他方が不用意にバックル本体から外れない様にすることが出来る。
【図面の簡単な説明】
【図１】  本発明の第一実施形態に係るベルト用バックルの上面図である。
【図２】  本発明の第一実施形態に係るベルト用バックルの正面図である。
【図３】  本発明の第一実施形態に係るベルト用バックルの作用説明図である。
【図４】  本発明の第一実施形態に係るベルト用バックルの作用説明図である。
【図５】  本発明の第二実施形態に係るベルト用バックルの上面図である。
【図６】  本発明の第二実施形態に係るベルト用バックルの正面図である。
【図７】  本発明の第三実施形態に係るベルト用バックルの上面図である。
【図８】  本発明の第三実施形態に係るベルト用バックルの正面図である。
【図９】  本発明の第四実施形態に係るベルト用バックルの上面図である。
【図１０】  本発明の第四実施形態に係るベルト用バックルの正面図である。
【図１１】  本発明の第五実施形態に係るベルト用バックルの上面図である。
【図１２】  本発明の第五実施形態に係るベルト用バックルの正面図である。
【符号の説明】
１…ベルト用バックル、２…ベルト、３…一方、４…ベルト接続部、５…他方、６…ベルト案内部、７…回動支持部、８…丸穴、９…丸棒、１０ａ、１０ｂ、１０ｃ…バックル本体、１１…突出部、１２…ベルト押圧部、１３…穴、１４…穴、１５…バネ、１６…先端、１７…端部、１８…接触防止部、１９…ベルト固定部、２０…回動部、２１…レバー。
【図１】
2007144089.tif 000003
【図２】
2007144089.tif 000004
【図３】
2007144089.tif 000005
【図４】
2007144089.tif 000006
【図５】
2007144089.tif 000007
【図６】
2007144089.tif 000008
【図７】
2007144089.tif 000009
【図８】
2007144089.tif 000010
【図９】
2007144089.tif 000011
【図１０】
2007144089.tif 000012
【図１１】
2007144089.tif 000013
【図１２】
2007144089.tif 000014